(57)【要約】      （修正有）【課題】短手方向と長手方向に連接することができ、少ない種類で様々な大きさの屋根を葺くことができ、また、屋根の熱伸縮の際にも耐え得る屋根材を提供する。【解決手段】長尺状の屋根材の本体１ａと、本体の長手方向に沿って、一方の側端に形成された第１の嵌合部２ａと、第１の嵌合部の側端縁に配置された取付部３ａと、本体の長手方向に沿って、他方の側端に形成され、第１の嵌合部に重ねて連接可能な第２の嵌合部４ａとを具備する。また、本体の短手方向に沿って、少なくとも一方の端部に形成された折り畳み部と、折り畳み部と接合される折り曲げ部を有する連接部材６とを備え、連接部材を介して他方の長尺状の屋根材の本体１ｂを載置させる。【選択図】図９
0003224372.tif 000002
【実用新案登録請求の範囲】
【請求項１】
長尺状の屋根材の本体と、前記本体の長手方向に沿って、一方の側端に形成された第１の嵌合部と、前記第１の嵌合部の側端縁に配置された取付部と、前記本体の長手方向に沿って、他方の側端に形成された第２の嵌合部とを具備し、前記本体の短手方向に沿って、少なくとも一方の端部に形成された折り畳み部と、該折り畳み部と接合される連接部材とを備え、該連接部材を介して他方の長尺状の屋根材の本体を載置させることを特徴とする屋根材。
【請求項２】
前記連接部材は、前記折り畳み部を接合させる第１の折曲部と、該第１の折曲部と反対側に折曲され、他方の長尺状の屋根材の本体を載置させる第２の折曲部とを備えた請求項１に記載の屋根材。
【請求項３】
前記第１の嵌合部の側端縁に配置された取付部に、長手方向に沿って長孔が形成され、この長孔を通して垂木に打ち込まれる止着材の頭部側面を係止する請求項１に記載の屋根材。
【請求項４】
前記連接部材を介して長手方向の屋根材の本体同士に隙間を備えた請求項１または２に記載の屋根材。
【請求項５】
前記連接部材によって接合された屋根材の第２の嵌合部に、前記連接部材によって接合された隣接する屋根材の第１の嵌合部が嵌合する際に、前記連接部材が配される位置が短手方向に互い違いに並んでいる請求項１または２、請求項４に記載の屋根材。
【請求項６】
前記第１の嵌合部と第２の嵌合部とは、折り畳み部のある方の本体の他端部の位置よりも短くされ、第２の嵌合部は第１の嵌合部よりも突出し、前記連接部材を介して、長手方向に屋根材同士を連接した際には、第２の嵌合部が、隣接する第２の嵌合部に重なり、第１の嵌合部が、隣接する第１の嵌合部に突き当たる請求項１または５に記載の屋根材。
【考案の詳細な説明】
【技術分野】
【０００１】
本考案は、長尺状の複数の金属製屋根材を短手方向と長手方向に連接し、屋根を葺く屋根材に関するものである。
【背景技術】
【０００２】
従来、例えば、特許文献１には、嵌合式の屋根板材を用いて屋根を葺く技術が開示されている。この特許文献１では、隣り合う一方の屋根板材の嵌め合い雄部を構成する頭部が、他方の屋根板材の嵌め合い雌部を構成する受け入れ溝部内に入り込むように重ね載せ、受け入れ溝部の溝口を撓み広げ、受け入れ溝部の内奥側に当該頭部を入り込ませて掛合させて連接している。
【０００３】
そして、撓み広げられた受け入れ溝部の溝口が戻ることで、頭部の顎部と受け入れ溝部の段部とが掛合して、隣り合う屋根板材相互をワンタッチで連接できるようになっている。また、この屋根板材相互の掛合部が毛細管現象を防ぐことで、雨水の浸入を阻止して防水性を高めている。
【０００４】
また、前記嵌め合い雄部が設けられている側の屋根板材の側端と当該嵌め合い雄部との間に間隔が開けられており、この間隔が開けられた箇所を横方向に延びるクギ等の止具による止着部としてある。より詳細には、かかる間隔が開けられた箇所に、屋根板材の長さ方向に亙って間隔を開けて、かつ、上方に突き出すように形成された二条の隆起部を設けており、この二条の隆起部の間が前記止着部としてある。
【先行技術文献】
【特許文献】
【０００５】
【特許文献１】特開平１１−２１０１７７号公報
【考案の概要】
【考案が解決しようとする課題】
【０００６】
ところで、上述した特許文献１に記載されている屋根板材は、短手方向に順次連接することで幅が広い屋根を葺くことができる。
【０００７】
しかしながら、長手方向には連接できないため、屋根板材の施工長さ（働き長さ）が制限される。このため、様々な大きさの屋根を葺くには、働き長さの異なる多数種類の屋根板材を用意しなければならない、という課題がある。
【０００８】
また、前記止着材は、嵌め合い雄部が設けられている側の屋根板材の側端と当該嵌め合い雄部との間に間隔が開けられており、この間隔が開けられた箇所に横方向に延びるよう配されていることから、もしも屋根板材が熱膨張で伸びたときには、これが吸収できないものになり、屋根板材が湾曲するか止着材が破損してしまうという問題点もあった。
【０００９】
そこで、本考案は如上のような従来存した諸事情に鑑み創出されたもので、短手方向と長手方向に連接することができ、少ない種類で様々な大きさの屋根を葺くことができ、また、屋根の熱伸縮の際にも耐え得る屋根材を提供することを目的とする。
【課題を解決するための手段】
【００１０】
本考案に係る請求項１の考案は、長尺状の屋根材の本体と、前記本体の長手方向に沿って、一方の側端に形成された第１の嵌合部と、前記第１の嵌合部の側端縁に配置された取付部と、前記本体の長手方向に沿って、他方の側端に形成された第２の嵌合部とを具備し、前記本体の短手方向に沿って、少なくとも一方の端部に形成された折り畳み部と、該折り畳み部と接合される連接部材とを備え、該連接部材を介して他方の長尺状の屋根材の本体を載置させることで、上述した課題を解決した。
【００１１】
この請求項１に係る屋根材によれば、連接部材を介して長尺状の屋根材の本体を長手方向に容易に連接することができ、少ない種類で様々な大きさの屋根を葺くことができる。
【００１２】
また、本考案に係る請求項２の考案は、前記連接部材は、前記折り畳み部を接合させる第１の折曲部と、該第１の折曲部と反対側に折曲され、他方の長尺状の屋根材の本体を載置させる第２の折曲部とを備えたことで、同じく、上述した課題を解決した。
【００１３】
この請求項２に係る屋根材によれば、屋根材の折り畳み部に取り付けられた連接部材によって、隣接する屋根材の他方側を載置させるだけで、長手方向に隣接する屋根材の施工長さ（働き長さ）を延長できる。
【００１４】
また、本考案に係る請求項３の考案は、前記第１の嵌合部の側端縁に配置された取付部に、長手方向に沿って長孔が形成され、この長孔を通して垂木に打ち込まれる止着材の頭部側面を係止することで、同じく、上述した課題を解決した。
【００１５】
この請求項３に係る屋根材によれば、止着材の頭部側面が長孔に常に係止されているため、屋根材の長手方向に沿った熱伸縮による長さの変化に対し、何等の抵抗もなくスライド保持させることができる。
【００１６】
また、本考案に係る請求項４の考案は、前記連接部材を介して長手方向の屋根材の本体同士に隙間を備えたことで、同じく、上述した課題を解決した。
【００１７】
この請求項４に係る屋根材によれば、屋根材の長手方向の熱伸縮による長さの変化を許容する。
【００１８】
また、本考案に係る請求項５の考案は、前記連接部材によって接合された屋根材の第２の嵌合部に、前記連接部材によって接合された隣接する屋根材の第１の嵌合部が嵌合する際に、前記連接部材が配される位置が短手方向に互い違いに並んでいることで、同じく、上述した課題を解決した。
【００１９】
この請求項５に係る屋根材によれば、連接部材が配される位置が短手方向に互い違いに並んでいることで、屋根材全体の強度が保持できる。
【００２０】
また、本考案に係る請求項６の考案は、第１の嵌合部と第２の嵌合部とは、折り畳み部のある方の本体の他端部の位置よりも短くされ、第２の嵌合部は第１の嵌合部よりも突出し、前記連接部材を介して、長手方向に屋根材同士を連接した際には、第２の嵌合部が、隣接する第２の嵌合部に重なり、第１の嵌合部が、隣接する第１の嵌合部に突き当たることで、同じく、上述した課題を解決した。
【００２１】
この請求項６に係る屋根材によれば、第１の嵌合部相互の突き当たり箇所の段差が解消されて、面密となってその上を第２の嵌合部で覆うことができる。
【考案の効果】
【００２２】
本考案に係る屋根材によれば、短手方向と長手方向に連接することができ、少ない種類で様々な大きさの屋根を葺くことができ、また、屋根の熱伸縮の際にも耐え得ることができる。
【図面の簡単な説明】
【００２３】
【図１】本考案の実施形態に係る屋根材の斜視図である。
【図２】図１に示した屋根材の平面図、正面図及び側面図である。
【図３】図２におけるＡ−Ａ部分の拡大図である。
【図４】図２におけるＤ−Ｄ部分の拡大斜視図である。
【図５】連接部材を介して、長手方向に沿って連接される屋根材の斜視図である。
【図６】長手方向に沿って連接された屋根材の斜視図である。
【図７】屋根材に連接部材を取り付ける前後状態の側面図である。
【図８】屋根材に連接部材を接合させる屋根材下面の斜視図である。
【図９】更に図６の屋根材の短手方向に沿って連接される屋根材の斜視図である。
【図１０】図９の連接部材を接合させた状態の屋根材の斜視図である。
【図１１】屋根材を短手方向と長手方向に連接した状態を示す斜視図である。
【図１２】屋根材の正面図である
【図１３】本考案の実施形態に係る屋根材を短手方向に連接する方法について説明するための正面図である。
【図１４】図１３における嵌合部の嵌合前と嵌合後の拡大断面図である。
【図１５】連接部材を介して、長手方向に沿って連接される屋根材の斜視図である。
【図１６】長手方向に沿って連接された屋根材の斜視図である。
【図１７】図１６の屋根材の短手方向に沿って連接される屋根材の斜視図である。
【図１８】図１７の連接部材を接合させた状態の屋根材の斜視図である。
【考案を実施するための形態】
【００２４】
以下に、図面を参照して、本考案の一実施形態について説明する。
【００２５】
図１、図２、図３に示すように、本考案に係る屋根材（金属製）１Ａの本体１ａは、長尺状になっている。この本体１ａの長手方向に沿って一方の側端に第１の嵌合部２ａが形成され、当該第１の嵌合部２ａの側端縁に取付部３ａが配置されている。本体１ａの長手方向に沿う他方の側端には、第２の嵌合部４ａが形成されている。
【００２６】
また、本体１ａの短手方向に沿って、一方の端部に折り畳み部５ａが形成されている。この折り畳み部５ａは、第１の嵌合部２ａと第２の嵌合部４ａとの間に形成され、図４に拡大して示すように、下ハゼ部が差し込み折りになっている。
【００２７】
すなわち、折り畳み部５ａは、第１の嵌合部２ａと第２の嵌合部４ａとの間の本体１ａが、所定の幅だけ屋根材１Ａの設置面側に折曲された構成になっている。更に、図１に拡大して示すように、屋根材１Ａの折り畳み部５ａの無い方の本体１ａの一端部は、第２の嵌合部４ａ（第１の嵌合部２ａも同様）の端部と一致し、一方、折り畳み部５ａのある方の本体１ａの他端部は、第２の嵌合部４ａ（第１の嵌合部２ａも同様）の端部よりも約５０ｍｍだけ延ばしている。これは、第２の嵌合部４ａ（第１の嵌合部２ａも同様）の端部同士のつなぎ合わせを隠すためのものである。
【００２８】
第１の嵌合部２ａは、雄部を構成する頭部を有し、第２の嵌合部４ａは、雌部を構成する受け入れ溝部を有する。ここで、第１の嵌合部２ａと第２の嵌合部４ａとの間の距離である働き幅ΔＬａは、例えば、垂木の間隔を整数倍して働き幅ΔＬａで割ったときに、商が整数となる値であり、本例では３６４ｍｍである。
【００２９】
第１の嵌合部２ａは、雄部を構成する頭部を有し、第２の嵌合部４ａは、雌部を構成する受け入れ溝部を有する。
【００３０】
図１、図２、図３に示した屋根材１Ａに長手方向に沿って連接される屋根材１Ｂの本体１ｂも、図５、図６に示すように、屋根材１Ａと同様に長尺状になっている。この本体１ｂの長手方向に沿って一方の側端に第１の嵌合部２ｂが形成され、当該第１の嵌合部２ｂの側端縁に取付部３ｂが配置されている。本体１ｂの長手方向に沿う他方の側端には、第２の嵌合部４ｂが形成されている。
【００３１】
また、本体１ｂの短手方向に沿って、屋根材１Ａの折り畳み部５ａに対応する他方の端部に接合される連接部材６が備えられている。連接部材６は、前記折り畳み部５ａを接合させる第１の折曲部６ａと、該第１の折曲部６ａと反対側に折曲され、他方の長尺状の屋根材１Ｂの本体１ｂを載置させる第２の折曲部６ｂとを備えている。
【００３２】
更に、屋根材１Ｂの第１、第２の嵌合部２ｂ，４ｂは、屋根材１Ａの第１、第２の嵌合部２ａ，４ａと同様に形成されており、第１の嵌合部２ｂは雄部を構成する頭部を有し、第２の嵌合部４ｂは雌部を構成する受け入れ溝部を有する。ここで、図１２に示すように、第１の嵌合部２ｂと第２の嵌合部４ｂとの間の距離である働き幅ΔＬｂは、例えば、垂木の間隔を整数倍して働き幅ΔＬｂで割ったときに商が整数となる値になっており、本例では「ΔＬａ＝ΔＬｂ」で３６４ｍｍである。
【００３３】
そして、図５に示すように、屋根材１Ａにおける折り畳み部５ａと、隣接配置される屋根材１Ｂの端部が対向して配置され、図７および図８の矢印１００で示すように、折り畳み部５ａの差し込み折り部が、第１の折曲部６ａと第２の折曲部６ｂとに形成される間隙部６ｃに差し込まれて接合され、第２の折曲部６ｂを介して第１の折曲部６ａの外側に延長された延長部６ｄの上に長手方向に隣接する屋根材１Ｂの端部が載せられることで、図６に示すように長手方向に隣接する屋根材１Ａと屋根材１Ｂが連接される。
【００３４】
次に、上述したように長手方向に連接した屋根材１Ａ，１Ｂの短手方向の連接方法について、図９乃至図１４により説明する。この場合、前記長手方向に連接した屋根材１Ａ，１Ｂの位置よりも所定の間隔ずらして、短手方向に屋根材を連接してゆく。
【００３５】
すなわち、先ず屋根材１−１（屋根材１Ａ，１Ｂを連接部材６を介して連接したもの）の一方の側端の取付部３−１（３ａ，３ｂ）を、取付ビスや釘でコンパネなどの野地板に打ち付け、隣接する屋根材１−２（同様に屋根材１Ａ，１Ｂを連接部材６を介して連接したもの）を位置合わせして、屋根材１−２の一方の側端の取付部３−２（３ａ，３ｂ）を、取付ビスや釘でコンパネなどの野地板に打ち付ける。
【００３６】
続いて、図１３（ａ）に示すように、屋根材１−１の第２の嵌合部４−１（４ａ，４ｂ）の溝部を、屋根材１−２の第１の嵌合部２−２の頭部に重ね載せて踏みつけ、図１３（ｂ）に示すように嵌合させて連接する。そして、同様な手順で順次屋根材を連結して取り付けることで屋根を葺く。
【００３７】
このとき、図９及び図１０に示すように、前記長手方向に連接した屋根材１Ａ，１Ｂの位置よりも所定の間隔ずらして、短手方向に屋根材を連接してゆく。すなわち、図１１に示すように、前記連接部材６によって接合された屋根材の第２の嵌合部４−１（４ａ，４ｂ）に、前記連接部材６によって接合された隣接する屋根材の第１の嵌合部（２ａ，２ｂ）が嵌合する際に、長手方向の接合部分（連接部材６が配される位置）が短手方向に互い違いに位置をずらして並んでいる。また、前記連接部材６を介して長手方向の屋根材の本体同士に隙間を備える。
【００３８】
図１４（ａ），（ｂ）はそれぞれ、図１３（ａ），（ｂ）における嵌合部の拡大図であり、嵌合前と嵌合後の状態を示している。
【００３９】
図１４（ａ）に示すように、屋根材１−１の第２の嵌合部４−１は、雌部を構成する受け入れ溝部を形成するように、断面が台形状になっている。また、屋根材１−２の第１の嵌合部２−２は、雄部を構成する頭部を形成するように、断面が溝部に対応する台形状になっている。
【００４０】
第２の嵌合部４−１に隣接して段差構造１０ａが形成されており、取付ビス５や釘を打つ面上を覆うようになっている。また、第１の嵌合部２−２に隣接して水切構造１１ａが形成されており、雨水などの浸入を防ぐようになっている。更に、嵌合部における頭部と溝部の間に、止水材９Ｃが介在されて防水性を高めている。この止水材９Ｃとしては、例えば、ホットメルトと呼ばれる高弾性合成ゴムを用いることができる。
【００４１】
屋根材１−１の第２の嵌合部４−１の縁部１０ｄは、内側に折り曲げられて強度が高められている。また、屋根材１−２の縁部１１ｄは内側に折り曲げられて強度が高められており、長手方向の側縁部に沿って取付ビス５や釘で、防水下地９Ａを介して野地板９Ｂに打ち付けられる。防水下地９Ａとしてはアスファルトルーフィングなどを用いることができ、野地板９Ｂとしてはコンパネなどを用いることができる。
【００４２】
そして、屋根材１−１の第２の嵌合部４−１の溝部を、隣接する屋根材１−２の第１の嵌合部２−２の頭部に押し込むことで広げて嵌合させることで、図１４（ｂ）に示すように、上記受け入れ溝部における台形の底辺に形成される角部１０ｂ，１０ｃと、頭部における台形の底辺に形成される角部１１ｂ，１１ｃとが係止される。これによって、嵌合部における毛細管現象を防ぐことができ、雨水の浸入を阻止して防水性を高めることができる。
【００４３】
図１２に示すように、上述したような構成の屋根材を用いて屋根を葺く際には、働き幅ΔＬ（ΔＬａ，ΔＬｂ）が垂木の配置幅（１尺５寸＝４５５ｍｍ）を整数倍（例えば４倍）して当該働き幅ΔＬで割ったときに、商が整数となる値（４５５ｍｍ×４÷３６４ｍｍ＝５）であるので、５枚の屋根材毎に垂木に取付ビスや釘を打つことができる。
【００４４】
また、１尺毎に垂木を配置した場合には、全ての垂木に釘を打つことができるため、屋根材の設置強度をより一層向上させることができ、葺いた屋根そのものの強度の向上も図れる。
【００４５】
従って、本考案によれば、屋根材を長手方向に配置して折り畳み部を連接するとともに、短手方向に配置して第２の嵌合部と第１の嵌合部とを順次嵌合させて連接することで、大きな屋根を葺くことができる。また、屋根材を短手方向と長手方向に連接することができるので、少ない種類で様々な大きさの屋根を葺くことができる。
【００４６】
前記第１の嵌合部２ａの側端縁に配置された取付部３ａに、長手方向に沿って長孔７が形成されている。取付ビスや釘等の止着材８は、この長孔７を通して垂木（図示せず）に打ち込まれる。このとき止着材８の頭部側面は長孔７の縁端部に常に係止されている。
【００４７】
また、１尺毎に垂木を配置した場合には、全ての垂木に釘を打つことができるため、屋根材の設置強度をより一層向上させることができ、葺いた屋根そのものの強度の向上も図れる。
【００４８】
尚、本考案は上述した実施形態に限定されるものではなく、要旨を逸脱しない範囲で種々変形して実施することが可能である。
【００４９】
［変形例１］
図１５に示すように、折り畳み部５ａのある方の本体１ａの他端部における第２の嵌合部４ａは、第１の嵌合部２ａよりも突出している。すなわち、第１の嵌合部２ａの長さが３００ｍｍだけ削除されているとき、第２の嵌合部４ａの長さは１００〜２００ｍｍだけ削除されている。また、第１の嵌合部２ａの長さが２００ｍｍだけ削除されているとき、第２の嵌合部４ａの長さは１００ｍｍだけ削除されている。
【００５０】
これにより、図１６に示すように、連接部材６を介して、長手方向に屋根材１Ａ，１Ｂ同士を連接した際には、第２の嵌合部４ａの先端４０が、隣接する第２の嵌合部４ａに約１００ｍｍだけ重なり、第１の嵌合部２ａの先端２０が、隣接する第１の嵌合部２ａに突き当たる。
【００５１】
そして、図１７及び図１８に示すように、前記長手方向に連接した屋根材１Ａ，１Ｂの位置よりも所定の間隔ずらして、短手方向に連接部材６を介して屋根材１Ａ，１Ｂを連接してゆくとき、第１の嵌合部２ａ相互の突き当たり箇所を第２の嵌合部４ａで覆うこととなる。これにより、第１の嵌合部２ａ相互の突き当たり箇所の段差が解消されて、面密となって第２の嵌合部４ａで覆うことができる。
【００５２】
［変形例２］
例えば、上述した実施形態では、屋根材の本体の短手方向に沿って、一方の端部に連接部材を接続するための折り畳み部が形成されている例を説明したが、本体の短手方向に沿って両端部に図１及び図５に示したような折り畳み部を設けることで、３枚以上の屋根材を長手方向に連接できる。
【００５３】
［変形例３］
また、屋根材を長手方向に連接した後、短手方向に連接する場合を例に取って説明したが、屋根材を短手方向に連接した後、屋根材を長手方向に連接することもできる。
【００５４】
［変形例４］
更に、屋根材の本体が平面の長尺状の場合を例に取って説明したが、二点鎖線で示すように、屋根材の本体を、設置面側に突出する湾曲した長尺状に形成し、短手方向に所定のアールを設けても良い。
【００５５】
本体が湾曲した屋根材で屋根を葺く場合には、まず屋根材の一方の側端の取付部を、取付ビスや釘でコンパネなどの野地板に打ち付け、他方の側端を野地板側に押し付けつつ湾曲を戻す。次に、隣接する屋根材を位置合わせして、この屋根材の一方の側端の取付部を、取付ビスや釘でコンパネなどの野地板に打ち付ける。続いて、屋根材の第２の嵌合部の溝部を、屋根材の第１の嵌合部の頭部に重ね載せて踏みつけて嵌合させて連接する。
【００５６】
このように、本体を湾曲させることで、施工によって平らになった本体が温度差による伸縮で湾曲する方向に働くので、歪みによって部分的に屋根が盛り上がるのを抑制できる。
【００５７】
［変形例５］
加えて、第１、第２の嵌合部や折り畳み部の構造は一例を挙げたものであり、上述した断面形状に限られるものではなく、隣接する屋根材を嵌合できれば他の様々な構成を適用できる。
【００５８】
［変形例６］
また、働き幅ΔＬが３６４ｍｍの場合を例に取って説明したが、垂木の間隔を整数倍して当該働き幅ΔＬで割ったときに、商が整数となる値であれば良い。更に、働き幅が３６４ｍｍから若干ずれても、垂木には幅があるので誤差を吸収できる。
【産業上の利用可能性】
【００５９】
本考案は、複数の金属製屋根材を短手方向と長手方向に連接できるので、少ない種類で様々な大きさの屋根を葺くことができ、屋根を葺く建築資材として有用である。
【符号の説明】
【００６０】
１Ａ，１Ｂ，１−１，１−２…屋根材
１ａ，１ｂ…本体
２ａ，２ｂ，２−１，２−２，２−３…第１の嵌合部
３ａ，３ｂ…取付部
４ａ，４ｂ，４−１，４−２，４−３…第２の嵌合部
５ａ…折り畳み部
６…連接部材
６ａ…第１の折曲部
６ｂ…第２の折曲部
６ｃ…間隙部
６ｄ…延長部
７…長孔
８…止着材
９Ａ…防水下地
９Ｂ…野地板
９Ｃ…止水材
１０ａ…段差構造
１１ａ…水切構造
１０ｂ，１０ｃ，１１ｂ，１１ｃ…角部
１０ｄ，１１ｄ…縁部
２０，４０…先端
ΔＬ，ΔＬａ，ΔＬｂ…働き幅
【図１】
0003224372.tif 000003
【図２】
0003224372.tif 000004
【図３】
0003224372.tif 000005
【図４】
0003224372.tif 000006
【図５】
0003224372.tif 000007
【図６】
0003224372.tif 000008
【図７】
0003224372.tif 000009
【図８】
0003224372.tif 000010
【図９】
0003224372.tif 000011
【図１０】
0003224372.tif 000012
【図１１】
0003224372.tif 000013
【図１２】
0003224372.tif 000014
【図１３】
0003224372.tif 000015
【図１４】
0003224372.tif 000016
【図１５】
0003224372.tif 000017
【図１６】
0003224372.tif 000018
【図１７】
0003224372.tif 000019
【図１８】
0003224372.tif 000020